(57)【要約】【課題】  ドラム缶等容器の口金部の確実な封印機能を果たす。容器の口金部の巻上がり外径の差等の各種の誤差にもかゝわらず、キャップシールによるドラム缶等容器の口金部の二重密閉を充分に果たす。容器内容物の品質を充分に保持する。開封作業を簡単にかつ確実に行なうことができる、キャップシールおよびこれを用いたドラム缶等容器の二重密閉装置を提供する。【解決手段】  キャップシール本体１の環状垂下壁４の内側に、横断面略横Ｖ形の外部シール用挟圧部１０が形成され、キャップシールの装着時、この横断面略横Ｖ形の挟圧部１０の内部に、ドラム缶等容器の固定口金３１の上端折返し環状外方凸部３１ａが、挟圧部１０の断面略横Ｖ形を押し開くように強制的に嵌め入れられ、環状外方凸部３１ａが、キャップシールの弾性素材の復元力により、２つの接点Ｐ・Ｑにおいて挟圧されて、外部シールが果たされている。【選択図】    図３
2010195464.tif 000002
【特許請求の範囲】
【請求項１】
ドラム缶等容器の内部シール部を有する口金部（３０）に嵌め被せられかつ弾性素材よりなるキャップシール本体（１）を備え、キャップシール本体（１）は、円形頂壁（２）と、円形頂壁（２）に設けられた破断用凹溝（６）と、円形頂壁（２）の周縁部に連なる環状段部（３）と、環状段部（３）の外周縁に連なる環状垂下壁（４）とを有しているキャップシールであって、環状段部（３）の内周面が、外方下向きに傾斜した上部係合用傾斜面部（１１）となされ、環状垂下壁（４）の内側に、内方に突出した厚肉部（５）が設けられて、厚肉部（５）の上半部の内周面が、内方下向きに傾斜した下部係合用傾斜面部（１２）となされていて、環状段部（３）内側の外方下向きの上部係合用傾斜面部（１１）と厚肉部（５）の上半部内側の内方下向きの下部係合用傾斜面部（１２）とによって横断面略横Ｖ形の外部シール用挟圧部（１０）が形成され、厚肉部（５）の下半部の内周面が、外方下向きに傾斜した嵌被せ用案内傾斜面部（１３）となされており、キャップシールの装着時、キャップシール本体（１）がドラム缶等容器の口金部（３０）に押し被せられることにより、キャップシール本体（１）の横断面略横Ｖ形の外部シール用挟圧部（１０）の内側に固定口金（３１）の上端折返し環状外方凸部（３１ａ）が、外部シール用挟圧部（１０）の断面略横Ｖ形を押し開くように強制的に嵌め入れられ、これによって固定口金（３１）の上端折返し環状外方凸部（３１ａ）が、外部シール用挟圧部（１０）の外方下向きの上部係合用傾斜面部（１１）と内方下向きの下部係合用傾斜面部（１２）とに、弾性素材の復元力により２つの接点（Ｐ）（Ｑ）において挟圧されて、外部シールが果たされるようになされ、キャップシールの開封の際には、キャップシール本体（１）が、これの円形頂壁（２）に設けられた破断用凹溝（６）に沿って破断されることにより、開封されるようになされていることを特徴とする、ドラム缶等容器用キャップシール。
【請求項２】
キャップシール本体（１）の円形頂壁（２）に設けられた破断用凹溝（６）が、平面よりみて欠円形の破断用凹溝主部（６ａ）と、該破断用凹溝主部（６ａ）の両端よりキャップシール本体（１）の環状段部（３）の方に伸びる破断用凹溝副部（６ｂ）（６ｂ）とを具備することを特徴とする、請求項１に記載のドラム缶等容器用キャップシール。
【請求項３】
キャップシール本体（１）を構成する弾性素材が、合成樹脂、エラストマーまたは合成ゴムであることを特徴とする、請求項１または２に記載のドラム缶等容器用キャップシール。
【請求項４】
キャップシール本体（１）が合成樹脂製であり、該キャップシール本体（１）の円形頂壁（２）の内面に、ドラム缶等容器内容物等の情報を記憶させたＲＦＩＤタグ等のタグ（８）が取り付けられていることを特徴とする、請求項１〜３のうちのいずれか一項に記載のドラム缶等容器用キャップシール。
【請求項５】
キャップシール本体（１）の円形頂壁（２）の内面に、タグ取付け用凸部（７）が設けられ、ドラム缶等容器内容物の情報等を記憶させたＲＦＩＤタグ等のタグ（８）が、この凸部（７）により掛け止められて円形頂壁（２）の内面に保持されていることを特徴とする、請求項４に記載のドラム缶等容器用キャップシール。
【請求項６】
タグ（８）が、ドラム缶等容器内容物の情報等を記憶させたＲＦＩＤタグ、同ＩＣタグ、同ＱＲコード表示タグ、または同バーコード表示タグであることを特徴とする、請求項４または５に記載のドラム缶等容器用キャップシール。
【請求項７】
請求項１〜６のうちのいずれか一項に記載のドラム缶等容器用キャップシールを用いたドラム缶等容器の二重密閉装置であって、ドラム缶等容器の内部シール部を有する口金部（３０）に嵌め被せられかつ弾性素材よりなるキャップシール本体（１）の円形頂壁（２）の周縁部に連なる環状段部（３）の内周面が、外方下向きに傾斜した上部係合用傾斜面部（１１）となされ、環状段部（３）の外周縁に連なる環状垂下壁（４）の内側に、内方に突出した厚肉部（５）が設けられて、厚肉部（５）の上半部の内周面が、内方下向きに傾斜した下部係合用傾斜面部（１２）となされていて、環状段部（３）内側の外方下向きの上部係合用傾斜面部（１１）と厚肉部（５）の上半部内側の内方下向きの下部係合用傾斜面部（１２）とによって横断面略横Ｖ形の外部シール用挟圧部（１０）が形成され、厚肉部（５）の下半部の内周面が、外方下向きに傾斜した嵌被せ用案内傾斜面部（１３）となされ、キャップシール本体（１）がドラム缶等容器の口金部（３０）に押し被せられることにより、キャップシール本体（１）の横断面略横Ｖ形の外部シール用挟圧部（１０）の内側に固定口金（３１）の上端折返し環状外方凸部（３１ａ）が、外部シール用挟圧部（１０）の断面略横Ｖ形を押し開くように強制的に嵌め入れられ、これによって固定口金（３１）の上端折返し環状外方凸部（３１ａ）が、外部シール用挟圧部（１０）の外方下向きの上部係合用傾斜面部（１１）と内方下向きの下部係合用傾斜面部（１２）とに、弾性素材の復元力により２つの接点（Ｐ）（Ｑ）において挟圧されて、外部シールが果たされており、キャップシールの開封の際には、キャップシール本体（１）が、これの円形頂壁（２）に設けられた破断用凹溝（６）に沿って破断されることにより、開封されるようになされていることを特徴とする、ドラム缶等容器の二重密閉装置。
【発明の詳細な説明】
【技術分野】
【０００１】
本発明は、ドラム缶等容器用キャップシール、詳しくは、ＲＦＩＤタグ等を装備したドラム缶等容器用キャップシール、さらに詳しくは、ドラム缶等容器の金属リング封印式内外二重密閉用キャップシール、およびこれを用いたドラム缶等容器の二重密閉装置に関するものである。
【背景技術】
【０００２】
従来、例えばドラム缶の口金部の固定フランジに、ガスケット付きプラグがねじ込まれて密閉された状態において、該口金部にキャップシールを嵌め被せて装着し、口金部を封印することが行なわれている。
【０００３】
本発明者は、先に、このようなドラム缶等容器用のキャップシールとして、下記の特許文献１に記載の考案を提案した。
【０００４】
特許文献１に記載のキャップシールを用いたドラム缶口金部の密封・封印装置では、円形頂壁と、これの周縁に設けられた垂下壁とによって構成された合成樹脂製キャップシールの垂下壁の下端部内面に、横断面鈎形の係合用環状凸部が一体に設けられ、ごのキャップシールがドラム缶口金部に上から嵌め被せられ、これによって垂下壁の下織部がワッシャの上面または天板の上面に圧接せしめられるとともに、係合用環状凸部の内側上縁部が口金部上端の外方凸部に圧接せしめられていた。
【先行技術文献】
【特許文献】
【０００５】
【特許文献１】実公昭５５−５０１１９号公報
【発明の概要】
【発明が解決しようとする課題】
【０００６】
しかしながら、上記特許文献１に記載のキャップシールを用いても、ドラム缶等容器の口金部の二重密閉が充分ではないという問題があった。
【０００７】
一般に、ドラム缶の口金部の巻上がり外径（圧入フランジの装着後の外径）は、ＪＩＳ（日本工業規格）では規定されていない。そして、圧入フランジの巻上がり外径は、実測では、６９．８〜６８．８ｍｍ程度であり、約１ｍｍの差がある。一方、ドラム缶の天板に圧入フランジを装着する装置のカール部の巻き外径にも寸法差があり、カールの駒の形状にもよるが、４．０〜５．０ｍｍの差がある。さらに、天板の立ち上がり筒部（圧入フランジの取付部）の板厚にも、０．８〜１．６ｍｍ程度の差があり、圧入フランジの折返し先端部（カール部）の板厚にも、０．８〜１．６ｍｍ程度の差がある。
【０００８】
このような各種の誤差により、キャップシールによるドラム缶等容器の口金部の二重密閉は、充分ではないという問題があった。
【０００９】
また近年、ＲＦＩＤタグなどの開発により、これらのタグを用いて、商品の品質管理、輸送管理、入出庫管理、および位置管理等の物流管理が行なわれているが、ドラム缶等容器やその内容物に、これらのタグを適用して、物流管理を行なうことは、現段階では実施されておらず、その実現が強く望まれていた。
【００１０】
本発明の目的は、上記の従来技術の問題を解決しかつ従来の要望に応えんとするもので、確実な封印機能を果たし得るとともに、ドラム缶の口金部の巻上がり外径の差、圧入フランジ装着装置のカール部の巻き外径の寸法差、あるいはまた天板の立ち上がり筒部（圧入フランジの取付部）の板厚の差や、圧入フランジの折返し先端部（カール部）の板厚の差等の各種の誤差にもかゝわらず、キャップシールによるドラム缶等容器の口金部の二重密閉を充分に果たすことができ、これによって外気（湿度、湿気）とドラム缶等容器の内容物とを確実に遮断することができて、内容物の品質が損なわれることがなく、しかもキャップシールの開封を非常に簡単にかつ確実に行なうことができて、取扱いが非常に簡単である、ドラム缶等容器用キャップシール、およびこれを用いたドラム缶等容器の二重密閉装置を提供しようとすることにある。
【００１１】
また、本発明の目的は、ＲＦＩＤタグ等のタグによりドラム缶等容器内容物の物流管理を改善することができ、品質管理、商品管理、入出庫管理、および位置管理を、きわめて迅速にかつ確実に行なうことができる、ドラム缶等容器用キャップシール、およびこれを用いたドラム缶等容器の二重密閉装置を提供しようとすることにある。
【課題を解決するための手段】
【００１２】
上記の目的を達成するために、請求項１の発明によるドラム缶等容器のキャップシールは、ドラム缶等容器の内部シール部を有する口金部に嵌め被せられかつ弾性素材よりなるキャップシール本体を備え、キャップシール本体は、円形頂壁と、円形頂壁に設けられた破断用凹溝と、円形頂壁の周縁部に連なる環状段部と、環状段部の外周縁に連なる環状垂下壁とを有しているキャップシールであって、環状段部の内周面が、外方下向きに傾斜した上部係合用傾斜面部となされ、環状垂下壁の内側に、内方に突出した厚肉部が設けられて、厚肉部の上半部の内周面が、内方下向きに傾斜した下部係合用傾斜面部となされていて、環状段部内側の外方下向きの上部係合用傾斜面部と厚肉部の上半部内側の内方下向きの下部係合用傾斜面部とによって横断面略横Ｖ形の外部シール用挟圧部が形成され、厚肉部の下半部の内周面が、外方下向きに傾斜した嵌被せ用案内傾斜面部となされており、キャップシールの装着時、キャップシール本体がドラム缶等容器の口金部に押し被せられることにより、キャップシール本体の横断面略横Ｖ形の外部シール用挟圧部の内側に固定口金の上端折返し環状外方凸部が、外部シール用挟圧部の断面略横Ｖ形を押し開くように強制的に嵌め入れられ、これによって固定口金の上端折返し環状外方凸部が、外部シール用挟圧部の外方下向きの上部係合用傾斜面部と内方下向きの下部係合用傾斜面部とに、弾性素材の復元力により２つの接点（Ｐ）（Ｑ）において挟圧されて、外部シールが果たされるようになされ、キャップシールの開封の際には、キャップシール本体が、これの円形頂壁に設けられた破断用凹溝に沿って破断されることにより、開封されるようになされていることを特徴としている。
【００１３】
請求項２の発明は、請求項１に記載のドラム缶等容器用キャップシールであって、キャップシール本体の円形頂壁に設けられた破断用凹溝が、平面よりみて欠円形の破断用凹溝主部と、該破断用凹溝主部の両端よりキャップシール本体の環状段部の方に伸びる破断用凹溝副部とを具備することを特徴としている。
【００１４】
請求項３の発明は、請求項１または２に記載のドラム缶等容器用キャップシールであって、キャップシール本体を構成する弾性素材が、合成樹脂、エラストマーまたは合成ゴムであることを特徴としている。
【００１５】
請求項４の発明は、請求項１〜３のうちのいずれか一項に記載のドラム缶等容器用キャップシールであって、キャップシール本体が合成樹脂製であり、該キャップシール本体の円形頂壁の内面に、ドラム缶等容器内容物等の情報を記憶させたＲＦＩＤタグ等のタグが取り付けられていることを特徴としている。
【００１６】
請求項５の発明は、請求項４に記載のドラム缶等容器用キャップシールであって、キャップシール本体の円形頂壁の内面に、タグ取付け用凸部が設けられ、ドラム缶等容器内容物の情報等を記憶させたＲＦＩＤタグ等のタグが、この凸部により掛け止められて円形頂壁の内面に保持されていることを特徴としている。
【００１７】
請求項６の発明は、請求項４または５に記載のドラム缶等容器用キャップシールであって、タグが、ドラム缶等容器内容物の情報等を記憶させたＲＦＩＤタグ、同ＩＣタグ、同ＱＲコード表示タグ、または同バーコード表示タグであることを特徴としている。
【００１８】
請求項７の発明は、請求項１〜６のうちのいずれか一項に記載のドラム缶等容器用キャップシールを用いたドラム缶等容器の二重密閉装置であって、ドラム缶等容器の内部シール部を有する口金部に嵌め被せられかつ弾性素材よりなるキャップシール本体の円形頂壁の周縁部に連なる環状段部の内周面が、外方下向きに傾斜した上部係合用傾斜面部となされ、環状段部の外周縁に連なる環状垂下壁の内側に、内方に突出した厚肉部が設けられて、厚肉部の上半部の内周面が、内方下向きに傾斜した下部係合用傾斜面部となされていて、環状段部内側の外方下向きの上部係合用傾斜面部と厚肉部の上半部内側の内方下向きの下部係合用傾斜面部とによって横断面略横Ｖ形の外部シール用挟圧部が形成され、厚肉部の下半部の内周面が、外方下向きに傾斜した嵌被せ用案内傾斜面部となされ、キャップシール本体がドラム缶等容器の口金部に押し被せられることにより、キャップシール本体の横断面略横Ｖ形の外部シール用挟圧部の内側に固定口金の上端折返し環状外方凸部が、外部シール用挟圧部の断面略横Ｖ形を押し開くように強制的に嵌め入れられ、これによって固定口金の上端折返し環状外方凸部が、外部シール用挟圧部の外方下向きの上部係合用傾斜面部と内方下向きの下部係合用傾斜面部とに、弾性素材の復元力により２つの接点（Ｐ）（Ｑ）において挟圧されて、外部シールが果たされており、キャップシールの開封の際には、キャップシール本体が、これの円形頂壁に設けられた破断用凹溝に沿って破断されることにより、開封されるようになされていることを特徴としている。
【発明の効果】
【００１９】
本発明による請求項１のドラム缶等容器のキャップシールは、ドラム缶等容器の内部シール部を有する口金部に嵌め被せられかつ弾性素材よりなるキャップシール本体を備え、キャップシール本体は、円形頂壁と、円形頂壁に設けられた破断用凹溝と、円形頂壁の周縁部に連なる環状段部と、環状段部の外周縁に連なる環状垂下壁とを有しているキャップシールであって、環状段部の内周面が、外方下向きに傾斜した上部係合用傾斜面部となされ、環状垂下壁の内側に、内方に突出した厚肉部が設けられて、厚肉部の上半部の内周面が、内方下向きに傾斜した下部係合用傾斜面部となされていて、環状段部内側の外方下向きの上部係合用傾斜面部と厚肉部の上半部内側の内方下向きの下部係合用傾斜面部とによって横断面略横Ｖ形の外部シール用挟圧部が形成され、厚肉部の下半部の内周面が、外方下向きに傾斜した嵌被せ用案内傾斜面部となされており、キャップシールの装着時、キャップシール本体がドラム缶等容器の口金部に押し被せられることにより、キャップシール本体の横断面略横Ｖ形の外部シール用挟圧部の内側に固定口金の上端折返し環状外方凸部が、外部シール用挟圧部の断面略横Ｖ形を押し開くように強制的に嵌め入れられ、これによって固定口金の上端折返し環状外方凸部が、外部シール用挟圧部の外方下向きの上部係合用傾斜面部と内方下向きの下部係合用傾斜面部とに、弾性素材の復元力により２つの接点（Ｐ）（Ｑ）において挟圧されて、外部シールが果たされるようになされ、キャップシールの開封の際には、キャップシール本体が、これの円形頂壁に設けられた破断用凹溝に沿って破断されることにより、開封されるようになされているものであるから、ドラム缶の口金部の巻上がり外径の差、圧入フランジ（固定口金）装着装置のカール部の巻き外径の寸法差、あるいはまた天板の立ち上がり筒部（圧入フランジの取付部）の板厚の差や、圧入フランジの折返し先端部（カール部）の板厚の差等の各種の誤差にもかゝわらず、ドラム缶等容器の内外二重密閉を充分に果たすことができるという効果を奏する。
【００２０】
このため、請求項１に記載のドラム缶等容器用のキャップシールの発明によれば、外気（湿度、湿気）とドラム缶等容器の内容物とを確実に遮断することができて、内容物の品質が損なわれることがないという効果を奏する。
【００２１】
また、ドラム缶等容器の口金部の開封の際には、キャップシール本体が、これの円形頂壁に設けられた破断用凹溝に沿って破断されることにより、開封されるようになされているから、キャップシールの開封を非常に簡単にかつ確実に行なうことができて、取扱いが非常に簡単であり、確実な封印機能を果たし得るという効果を奏する。
【００２２】
請求項２の発明は、請求項１に記載のドラム缶等容器のキャップシールであって、キャップシール本体の円形頂壁に設けられた破断用凹溝が、平面よりみて欠円形の破断用凹溝主部と、該破断用凹溝主部の両端よりキャップシール本体の環状段部の方に伸びる破断用凹溝副部とを具備するもので、請求項２の発明によれば、キャップシールの開封を非常に簡単にかつ確実に行なうことができて、取扱いが非常に簡単であり、確実な封印機能を果たし得るという効果を奏する。
【００２３】
請求項３の発明は、請求項１または２に記載のドラム缶等容器用キャップシールであって、キャップシール本体を構成する弾性素材が、合成樹脂、エラストマーまたは合成ゴムであるもので、請求項３の発明によれば、ドラム缶等容器の内外二重密閉を確実に果たすことができ、外気（湿度、湿気）とドラム缶等容器の内容物とを確実に遮断することができて、内容物の品質が損なわれることがないという効果を奏する。
【００２４】
請求項４の発明は、請求項１〜３のうちのいずれか一項に記載のドラム缶等容器用キャップシールであって、キャップシール本体が合成樹脂製であり、該キャップシール本体の円形頂壁の内面に、ドラム缶等容器内容物等の情報を記憶させたＲＦＩＤタグ等のタグが取り付けられているもので、請求項４の発明によれば、ＲＦＩＤタグ等のタグによりドラム缶等容器内容物の物流管理を改善することができ、品質管理、商品管理、入出庫管理および位置管理を、きわめて迅速にかつ確実に行なうことができるという効果を奏する。
【００２５】
請求項５の発明は、請求項４に記載のドラム缶等容器用キャップシールであって、キャップシール本体の円形頂壁の内面に、タグ取付け用凸部が設けられ、ドラム缶等容器内容物の情報等を記憶させたＲＦＩＤタグ等のタグが、この凸部により掛け止められて円形頂壁の内面に保持されているもので、請求項５の発明によれば、ＲＦＩＤタグ、ＩＣタグ、ＱＲコード表示タグ、またはバーコード表示タグ等のタグを、ワンタッチで非常に簡単にキャップシール本体の円形頂壁内面に取り付けることができ、作業性が優れていて、キャップシールの製造を容易かつ安価に行なうことができるという効果を奏する。
【００２６】
請求項６の発明は、請求項４または５に記載のドラム缶等容器用キャップシールであって、タグが、ドラム缶等容器内容物の情報等を記憶させたＲＦＩＤタグ、同ＩＣタグ、同ＱＲコード表示タグ、または同バーコード表示タグであるもので、請求項６の発明によれば、これらのタグを用いることにより、ドラム缶等容器内容物の品質管理、商品管理、入出庫管理、および位置管理を、きわめて迅速にかつ確実に行なうことができるという効果を奏する。
【００２７】
請求項７の発明は、請求項１〜６のうちのいずれか一項に記載のドラム缶等容器用キャップシールを用いたドラム缶等容器の二重密閉装置であって、ドラム缶等容器の内部シール部を有する口金部に嵌め被せられかつ弾性素材よりなるキャップシール本体の円形頂壁の周縁部に連なる環状段部の内周面が、外方下向きに傾斜した上部係合用傾斜面部となされ、環状段部の外周縁に連なる環状垂下壁の内側に、内方に突出した厚肉部が設けられて、厚肉部の上半部の内周面が、内方下向きに傾斜した下部係合用傾斜面部となされていて、環状段部内側の外方下向きの上部係合用傾斜面部と厚肉部の上半部内側の内方下向きの下部係合用傾斜面部とによって横断面略横Ｖ形の外部シール用挟圧部が形成され、厚肉部の下半部の内周面が、外方下向きに傾斜した嵌被せ用案内傾斜面部となされ、キャップシール本体がドラム缶等容器の口金部に押し被せられることにより、キャップシール本体の横断面略横Ｖ形の外部シール用挟圧部の内側に固定口金の上端折返し環状外方凸部が、外部シール用挟圧部の断面略横Ｖ形を押し開くように強制的に嵌め入れられ、これによって固定口金の上端折返し環状外方凸部が、外部シール用挟圧部の外方下向きの上部係合用傾斜面部と内方下向きの下部係合用傾斜面部とに、弾性素材の復元力により２つの接点（Ｐ）（Ｑ）において挟圧されて、外部シールが果たされており、キャップシールの開封の際には、キャップシール本体が、これの円形頂壁に設けられた破断用凹溝に沿って破断されることにより、開封されるようになされているもので、請求項７の発明によれば、ドラム缶の口金部の巻上がり外径の差、圧入フランジ装着装置のカール部の巻き外径の寸法差、あるいはまた天板の立ち上がり筒部（圧入フランジの取付部）の板厚の差や、圧入フランジの折返し先端部（カール部）の板厚の差等の各種の誤差にもかゝわらず、ドラム缶等容器の内外二重密閉を充分に果たすことができるという効果を奏する。
【００２８】
このため、請求項７に記載のドラム缶等容器の二重密閉装置の発明によれば、外気（湿度、湿気）とドラム缶等容器の内容物とを確実に遮断することができて、内容物の品質が損なわれることがないという効果を奏する。
【００２９】
また、ドラム缶等容器の口金部の開封の際には、キャップシール本体が、これの円形頂壁に設けられた破断用凹溝に沿って破断されることにより、開封されるようになされているから、キャップシールの開封を非常に簡単にかつ確実に行なうことができて、取扱いが非常に簡単であり、確実な封印機能を果たし得るという効果を奏する。
【図面の簡単な説明】
【００３０】
【図１】本発明のキャップシールの要部拡大縦断面図である。
【図２】同平面図で、キャップシールの全体を示している。
【図３】本発明のキャップシールを装着した状態のドラム缶の口金部の要部拡大縦断面図である。
【図４】同縦断面図で、ドラム缶の口金部の全体を示している。
【図５】本発明のキャップシールをドラム缶の口金部に装着する直前の状態を示す口金部全体の縦断面図である。
【図６】本発明のキャップシールを装着したドラム缶の口金部を開封する状態を示す口金部全体の縦断面図である。
【図７】図７ａはキャップシールの頂壁破断用凹溝部分の拡大断面図である。図７ｂは同頂壁破断用凹溝の第１変形例を示す部分拡大断面図である。図７ｃは同頂壁破断用凹溝の第２変形例を示す部分拡大断面図である。
【図８】ドラム缶の小径口金部に装着する本発明のキャップシールの平面図である。
【図９】同キャップシールの第１変形例を示す平面図である。
【発明を実施するための形態】
【００３１】
つぎに、本発明の実施の形態を、図面を参照して説明するが、本発明はこれらに限定されるものではない。
【００３２】
この明細書において、左右および上下は、図２を基準とし、左とは図２の左側、右とは同右側をいゝ、前とは同図の上側、後とは同下側をいうものとする。
【００３３】
まず、図１〜図４を参照すると、本発明によるドラム缶等容器のキャップシールは、例えばドラム缶の内部シール部を有する口金部（３０）に嵌め被せられかつポリエチレン樹脂等の合成樹脂、エラストマーまたは合成ゴム等のシール性（密封性）を有する弾性素材よりなるキャップシール本体（１）を備えている。
【００３４】
一方、ドラム缶の天板（５１）には、通常、大小２つ、あるいは同じ大きさ２つの口金部（３０）が設けられている。なお、図面においては、大小２つの口金部の小さい方の口金部、あるいはまた同じ大きさ２つの口金部のうちの一方の口金部の図示は、省略されている。
【００３５】
図３と図４に示すように、ドラム缶天板の口金部（３０）においては、天板（５１）に円形の立上り筒部（５２）が設けられ、その高さの中間部に環状段部（５３）が設けられている。そして、天板（５１）の立上がり筒部（５２）に内ねじタイプの固定口金（圧入フランジ）（３１）が下から圧入され、その上端部が外側に折り曲げられて、立上がり筒部（５２）の上端部（５２ａ）に巻き取められることにより、フランジ（３１）の上端部が天板立上がり筒部（５２）の上端部（５２ａ）に係り合わせられ、固定口金（フランジ）（３１）の上端折返し環状外方凸部（３１ａ）が形成されている。
【００３６】
圧入フランジ（３１）下縁の鍔部（３２）の外周縁は、平面よりみて八角形を有していて、これが天板（５１）の環状段部（５３）下側の同八角形の回り止め用裾部の内周縁に係り合わされている。
【００３７】
そして、鍔部（３２）には、プレス加工により平面よりみて円形の環状突部（３５）が上方突出状に設けられて、環状突部（３５）とフランジ（３１）筒部との間にガスケット収容間隙が形成され、このガスケット収容間隙内にいわゆるフランジ用ガスケット（３４）が嵌め入れられている。
【００３８】
このフランジ用ガスケット（３４）としては、シリコンゴムよりなるガスケットをライニングにより取り付けるのが望ましいが、その他Ｏ−リング、断面角形の環状ガスケットを使用してもよい。
【００３９】
ドラム缶用のプラグ（蓋）（４１）は、逆ハット形を有していて、その上端環状外方凸縁部（４２）の下側にプラグ用ガスケット（４４）が取り付けられている。
【００４０】
そして、圧入フランジ（３１）内側の雌ねじ部（３３）に、このプラグ用ガスケット（４４）付きプラグ（４１）の雄ねじ部（４３）がねじ込まれて、プラグ用ガスケット（４４）が、フランジ（３１）の上端折返し部の内周面に全周にわたって密着せしめられることにより、ドラム缶の口金部（３０）が密閉されている。
【００４１】
このように、ドラム缶の口金部（３０）は、これらのフランジ用ガスケット（３４）とプラグ用ガスケット（４４）とによって、いわゆる内部シールが果たされている。
【００４２】
本発明によるドラム缶のキャップシールは、このようなドラム缶の天板（５１）の密閉後の内部シール部を有する口金部（３０）に被せ止められて、外部シールを果たすものである。
【００４３】
図１および図２に詳しく示すように、本発明によるドラム缶のキャップシールの弾性素材よりなるキャップシール本体（１）は、円形頂壁（２）と、円形頂壁（２）に設けられた破断用凹溝（６）と、円形頂壁（２）の周縁部に連なる環状段部（３）と、環状段部（３）の外周縁に連なる環状垂下壁（４）とを有している。
【００４４】
そして、キャップシール本体（１）の環状段部（３）の内周面が、外方下向きに傾斜した上部係合用傾斜面部（１１）となされ、環状垂下壁（４）の内側に、内方に突出した厚肉部（５）が設けられて、厚肉部（５）の上半部の内周面が、内方下向きに傾斜した下部係合用傾斜面部（１２）となされていて、環状段部（３）内側の外方下向きの上部係合用傾斜面部（１１）と厚肉部（５）の上半部内側の内方下向きの下部係合用傾斜面部（１２）とによって横断面略横Ｖ形の外部シール用挟圧部（１０）が形成され、厚肉部（５）の下半部の内周面が、外方下向きに傾斜したいわゆる末広がりの逆テーパ状の嵌被せ用案内傾斜面部（１３）となされている。このような案内傾斜面部（１３）が設けられているため、キャップシール本体（１）の環状垂下壁（４）は、ドラム缶口金部（３０）に上から嵌め被せやすいようになされている。
【００４５】
本発明によるキャップシールのキャップシール本体（１）の円形頂壁（２）には、図２に示すように、平面よりみて欠円形の破断用凹溝主部（６ａ）と、該破断用凹溝主部（６ａ）の右側の両端より右方に平行状に伸びる破断用凹溝副部（６ｂ）（６ｂ）とを具備する破断用凹溝（６）が設けられている。
【００４６】
そして、この実施形態では、キャップシール本体（１）の円形頂壁（２）に設けられた平面よりみて欠円形の破断用凹溝主部（６ａ）の左側の円弧部分にも、これより左方に平行状に伸びる２本の破断用凹溝補助部（６ｃ）（６ｃ）が設けられている。
【００４７】
図５に示すように、本発明によるキャップシールの装着時には、まず、キャップシール本体（１）の一端部を、ドラム缶の口金部（３０）の同側端部に側方から嵌め被せる。このとき、キャップシール本体（１）の横断面略横Ｖ形の外部シール用挟圧部（１０）の内側に固定口金（フランジ）（３１）の上端折返し環状外方凸部（３１ａ）を、外部シール用挟圧部（１０）の断面略横Ｖ形を押し開くように嵌め入れる。
【００４８】
ついで、キャップシール本体（１）の他端部を、同図右側に示す矢印の方向に上から強く押し付けて、ドラム缶の口金部（３０）の同側端部に嵌め被せる。
【００４９】
ここで、キャップシール本体（１）の環状垂下壁（４）の内側に内方突出状に設けられた厚肉部（５）の内側先端部の内径が、ドラム缶の口金部（３０）の外径よりも小さく設定されており、上記キャップシール本体（１）他端部の矢印方向の強く押し付けにより、環状垂下壁（４）の厚肉部（５）が、これの嵌被せ用案内傾斜面部（１３）がドラム缶口金部（３０）の同側端部に沿うようにして、一旦外方に押し開かれ、さらに、キャップシール本体（１）の他端部を矢印方向に強く押し付けることにより、厚肉部（５）の内側先端部がドラム缶口金部（３０）の同側端部を下側に越える。これによって、環状垂下壁（４）の厚肉部（５）が元の状態に復元して、キャップシール本体（１）の横断面略横Ｖ形の外部シール用挟圧部（１０）の内側に、固定口金（フランジ）（３１）の上端折返し環状外方凸部（３１ａ）が、外部シール用挟圧部（１０）の断面略横Ｖ形を押し開いた状態に強制的に嵌め入れられる。
【００５０】
こうして、図３と図４に示すように、固定口金（３１）の上端折返し環状外方凸部（３１ａ）が全周にわたって、キャップシール本体（１）の横断面略横Ｖ形の外部シール用挟圧部（１０）の外方下向きの上部係合用傾斜面部（１１）と内方下向きの下部係合用傾斜面部（１２）とに、弾性素材の復元力により２つの接点（Ｐ）（Ｑ）において挟圧されて、外部シールが果たされるものである。
【００５１】
なお、本発明によるキャップシールの装着後には、キャップシール本体（１）の環状垂下壁（４）の下端が全周にわたって、天板立上り筒部（５２）の環状段部（５３）の上面に圧接せしめられていて、キャップシールによる封印機能が確実に果たされている。
【００５２】
こうして、本発明のドラム缶のキャップシールによれば、ドラム缶の口金部（３０）の巻上がり外径の差、圧入フランジ装着装置（図示略）のカール部の巻き外径の寸法差、あるいはまた天板の立ち上がり筒部（圧入フランジの取付部）（５２）の板厚の差や、圧入フランジ（３１）の折返し先端部（カール部）（３１ａ）の板厚の差等の各種の誤差にもかゝわらず、ドラム缶の内外二重密閉を充分に果たすことができるものである。
【００５３】
このため、本発明のドラム缶のキャップシールによれば、外気（湿度、湿気）とドラム缶の内容物とを確実に遮断することができて、内容物の品質が損なわれることがない。
【００５４】
ここで、本発明によるキャップシールにおいて、キャップシール本体（１）の横断面略横Ｖ形の外部シール用挟圧部（１０）の上部係合用傾斜面部（１１）と下部係合用傾斜面部（１２）との間の角度（θ）は、６０〜１２０°、好ましくは９５〜１２０°、より好ましくは１００〜１２０°、さらに好ましくは１０５〜１１５°である。
【００５５】
キャップシール本体（１）の横断面略横Ｖ形の外部シール用挟圧部（１０）の外方下向きの上部係合用傾斜面部（１１）および内方下向きの下部係合用傾斜面部（１２）と固定口金（３１）の上端折返し環状外方凸部（３１ａ）との２つの接点（Ｐ）（Ｑ）は、横断面略横Ｖ形の外部シール用挟圧部（１０）の開き角度（θ）によっても異なるが、具体的には、上側の接点（Ｐ）は、固定口金（３１）の上端折返し環状外方凸部（３１ａ）の上端と最外周の側面との間で、上端寄り部分である。一方、下側の接点（Ｑ）は、固定口金（３１）の上端折返し環状外方凸部（３１ａ）の下端と最外周の側面との間の中間部分である。
【００５６】
なお、外部シール用挟圧部（１０）の上部係合用傾斜面部（１１）と下部係合用傾斜面部（１２）との間の角度（θ）が９５°以下、詳しくは９５〜６０°と小さい場合には、横断面略横Ｖ形の外部シール用挟圧部（１０）の開口部の幅が狭くなるとともに、外部シール用挟圧部（１０）の横Ｖ形の頂点が、固定口金（３１）の上端折返し環状外方凸部（３１ａ）より外方に大きく離れることになる。
【００５７】
従って、このような場合には、外部シール用挟圧部（１０）に、これの外方下向きの上部係合用傾斜面部（１１）の下端から、内方下向きの下部係合用傾斜面部（１２）の上端に至る短い垂直面部（図示略）を設けて、この垂直面部と固定口金（３１）の上端折返し環状外方凸部（３１ａ）の最外周の側面とに、第３の接点（図示略）を設けるようにしてもよい。
【００５８】
上記において、横断面略Ｖ形の外部シール用挟圧部（１０）の上部係合用傾斜面部（１１）と下部係合用傾斜面部（１２）との間の角度（θ）が、６０°未満であれば、横断面略横Ｖ形の外部シール用挟圧部（１０）内に、固定口金（フランジ）（３１）の上端折返し環状外方凸部（３１ａ）が入り込み難く、キャップシール本体（１）の環状垂下壁（４）および厚肉部（５）が極端に外方に押し開かれて、環状垂下壁（４）の下端が、天板立上り筒部（５２）の環状段部（５３）の上面から離れてしまい、キャップシールによる封印機能が無くなるので、好ましくない。また、横断面略横Ｖ形の外部シール用挟圧部（１０）の上部係合用傾斜面部（１１）と下部係合用傾斜面部（１２）との間の角度（θ）が、１２０°を超えると、キャップシール本体（１）の弾性素材の復元力による上部係合用傾斜面部（１１）と内方下向きの下部係合用傾斜面部（１２）との挟圧力が小さく、キャップシールによる充分な密封作用を発揮することはできないので、好ましくない。
【００５９】
ところで、通常、例えばドラム缶の天板（５１）の口金部（３０）では、固定フランジ（３１）の鍔部（３２）に装着されたフランジ用ガスケット（３４）と、プラグ（４１）の上端環状外方凸縁部（４２）の下側に装着されたプラグ用ガスケット（４４）とによって、いわゆる内部シールが果たされている。
【００６０】
そしていま、例えばフランジ用ガスケット（３４）の装填不良などにより、フランジ（３１）と天板（５１）の立ち上がり筒部（５２）との間の流体侵入／内容物漏洩経路の密封が損なわれたり、あるいはまたプラグ用ガスケット（４４）の捩じれ等の不具合により、フランジ（３１）とプラグ（４１）との間の流体侵入／内容物漏洩経路の密封が損なわれたりした場合にも、本発明のキャップシールによれば、図３に示すように、キャップシールの装着時、キャップシール本体（１）がドラム缶の口金部（３０）に押し被せられることにより、キャップシール本体（１）の横断面略横Ｖ形の外部シール用挟圧部（１０）の内側に固定口金（３１）の上端折返し環状外方凸部（３１ａ）が、外部シール用挟圧部（１０）の断面略横Ｖ形を押し開くように強制的に嵌め入れられ、これによって固定口金（３１）の上端折返し環状外方凸部（３１ａ）が、外部シール用挟圧部（１０）の外方下向きの上部係合用傾斜面部（１１）と内方下向きの下部係合用傾斜面部（１２）とに、弾性素材の復元力により２つの接点（Ｐ）（Ｑ）において挟圧されて、外部シールが果たされるようになされており、これによって、雨水や外気等の外部流体の侵入、およびドラム缶内容物の漏洩を阻止することができるから、これらの外部シールにより、ドラム缶の口金部（３０）の密封を、いわゆる内外二重密閉により封印することができるものである。
【００６１】
従って、本発明のドラム缶用のキャップシールによれば、ドラム缶の天板上面に溜まった雨水がドラム缶の内部に浸入するのを防止することができるだけでなく、外気（湿度、湿気）とドラム缶の内容物とを確実に遮断することができて、内容物の品質が損なわれることがない。また、横倒し状態のドラム缶の内容物の漏洩を防止することができ、さらには、プラグ（４１）に装着されたプラグ用ガスケット（４４）の周面とフランジ（３１）の開口部上端との間の間隙に水やほこりが溜まるようなことがなく、従ってこれらの水やほこりによってドラム缶内容物の品質が損なわれることがない。
【００６２】
このように、本発明のキャップシールの装着後は、ドラム缶の固定口金（３１）の上端折返し環状外方凸部（３１ａ）が、キャップシール本体（１）の横断面略横Ｖ形の外部シール用挟圧部（１０）の外方下向きの上部係合用傾斜面部（１１）と内方下向きの下部係合用傾斜面部（１２）とに、弾性素材の復元力により２つの接点（Ｐ）（Ｑ）において挟圧されて、ドラム缶口金部（３０）の全外周にわたって圧接せしめられて密着されているから、キャップシールは、これを破断しないかぎり、容易に開封することができず、封印機能を確実に果たすことができる。
【００６３】
つぎに、図１〜図４に示すように、本発明によるキャップシールのキャップシール本体（１）の円形頂壁（２）の下面には、平面よりみて円弧形の破断用凹溝部分（６ａ）の内側に位置するように、環状のタグ取付け用凸部（７）が下方突出状に設けられていて、ドラム缶およびその内容物の情報を記憶させたＲＦＩＤタグ等のタグ（８）が、この環状取付け用凸部（７）の先端部により掛り止められて、円形頂壁（２）の内面に保持されている。
【００６４】
これによって、ＲＦＩＤ等のタグ（８）を、ワンタッチで非常に簡単にキャップシール本体（１）の円形頂壁（２）内面に取り付けることができ、作業性が優れていて、キャップシールの製造を容易かつ安価に行なうことができる。
【００６５】
本発明によるキャップシールに装着されるタグ（８）は、ＲＦＩＤタグ、ＩＣタグ、ＱＲコード（二次元コード）表示タグ、またはバーコード表示タグであるのが、好ましい。
【００６６】
ここで、ＲＦＩＤとは、 Radio Frequency Identification の略で、電波を利用した認証（認識）技術の総称であるが、最近では電波による非接触通信とＩＣチップを利用した認証の組み合わせが、ＲＦＩＤ技術の主流になりつつあるため、「ＲＦＩＤ＝ＩＣチップを利用した非接触認証技術」を意味するものとして使用されている。
【００６７】
本発明においては、このようなタグや、ラベル状に加工されたアンテナ付ＩＣチップであるＲＦＩＤを、ドラム缶のキャップシールのキャップシール本体（１）の円形頂壁（２）の内面に保持し、そこに記憶された情報をリーダー・ライタと呼ばれる装置で読み取ることで、各個のドラム缶の認識を行うものである。
【００６８】
ＲＦＩＤタグ等のタグ（８）には、例えば、ドラム缶内容物の品名、原材料名（内容物情報）、内容量（例えば、２００Ｌ）、製造ロットＮｏ．、製造年月日、消費期限、保存方法（温度管理、振動管理）、輸送方法（振動管理、位置管理）、製造者、発売元、その他の情報が記憶させられており、このようなＲＦＩＤタグ等のタグ（８）を具備する本発明のキャップシールを用いる物流管理システムによれば、ドラム缶内容物の生産（充填）から販売まで、すべての情報を関係部署がタイムリーに把握することができ、品質管理、商品管理、入出庫管理、および例えばＧＰＳによる位置管理などの管理を、きわめて迅速に、最適かつ確実に行なうことができるものである。
【００６９】
なお、ＲＦＩＤタグ等のタグ（８）をキャップシールのキャップシール本体（１）の円形頂壁（２）の内面に取り付ける場合には、キャップシール本体（１）は、電波を通す物体でなければならないことから、ポリエチレン樹脂等の合成樹脂製であることが必要である。
【００７０】
また、ＱＲコード表示タグ、またはバーコード表示タグを取り付ける場合には、樹脂製キャップシール本体（１）の円形頂壁（２）は、これらのコードを読み取るために、透明とすることが必要である。
【００７１】
上記の本発明のキャップシールによるドラム缶口金部（３０）の封印後、ドラム缶の内容物を使用する際にキャップシールを取り外すには、これを破断する外はない。
【００７２】
図６に示すように、本発明のキャップシールによって封印されたドラム缶の口金部（３０）を開封する際には、まず、キャップシール本体（１）の円形頂壁（２）に設けられた平面よりみて欠円形の破断用凹溝主部（６ａ）の円の中心部分を、例えばハンマー等の工具で叩いて、該欠円形破断用凹溝主部（６ａ）を矢印（イ）の方向に破断させる。
【００７３】
ついで、この欠円形破断用凹溝主部（６ａ）の左側円弧部に連なる２本の破断用凹溝副部（６ｃ）（６ｃ）同士の間の円形頂壁（２）部分を、例えばペンチ（図示略）等の工具で、矢印（ロ）の方向に引き上げると、２本の破断用凹溝副部（６ｃ）（６ｃ）に沿ってキャップシール本体（１）の円形頂壁（２）残部が破断され、キャップシール本体（１）が持ち上げられて、除去され、開封されるものである。
【００７４】
従って、本発明のキャップシールによれば、キャップシールの開封を簡単にかつ確実に行なうことができて、取扱いが非常に簡単である。
【００７５】
本発明によるキャップシールにおいて、キャップシール本体（１）の円形頂壁（２）に設けられた破断用凹溝（６）、すなわち平面よりみて欠円形の破断用凹溝主部（６ａ）と、該破断用凹溝主部（６ａ）の右側の両端より右方に平行状に伸びる破断用凹溝副部（６ｂ）（６ｂ）、および平面よりみて欠円形の破断用凹溝主部（６ａ）の左側の円弧部分より左方に平行状に伸びる２本の破断用凹溝補助部（６ｃ）（６ｃ）の断面形状は、図７ａに示すように、それぞれ横断面略角溝形である。
【００７６】
しかしながら、これらの破断用凹溝（６）は、その他、図７ｂに示す横断面略Ｖ字形、あるいはまた、図７ｃに示す横断面略台形などの断面形状であってもよく、キャップシール本体（１）の円形頂壁（２）の破断用凹溝（６）の断面形状は、図示のものに限定されるものではない。
【００７７】
なお、上記の実施形態では、キャップシール本体破断用凹溝（６）が、キャップシール本体（１）の円形頂壁（２）の内面に設けられているが、キャップシール本体破断用凹溝（６）は、キャップシール本体（１）の円形頂壁（２）の外面に設けられていてもよい。
【００７８】
また、キャップシール本体（１）の円形頂壁（２）における破断用凹溝主部（６ａ）、破断用凹溝副部（６ｂ）、および破断用凹溝補助部（６ｃ）の平面形状は、図示のものに限定されるものではなく、要するに、キャップシールの開封の際に、キャップシール本体（１）を破断除去することができるような形状であればよい。
【００７９】
さらに、上記の実施形態では、キャップシール本体（１）の円形頂壁（２）の下面には、平面よりみて円弧形の破断用凹溝部分（６ａ）の内側に位置するように環状のタグ取付け用凸部（７）が設けられているが、このようなタグ取付け用凸部（７）は、環状でなくてもよく、複数個、好ましくは２〜５個のタグ掛止め用凸部によって、ＲＦＩＤタグ等のタグの周縁部を保持するようになされていてもよい。
【００８０】
また、上記の実施形態において、図示されているＲＦＩＤタグは円形であるが、これに限らず、タグ（８）は、四角形、楕円形、その他の形状であってもよく、特に、ＱＲコード表示タグや、バーコード表示タグは、四角形のものが多い。
【００８１】
また、ＲＦＩＤタグ、ＩＣタグ、ＱＲコード表示タグ、またはバーコード表示タグ等のタグ（８）は、キャップシール本体（１）の円形頂壁（２）内面に、その他、接着などの手段により取り付けられていてもよい。
【００８２】
さらに、タグ（８）としては、上記のものに限らず、ドラム缶内容物の品質や、製造会社名、販売会社名、マーク等をプリント（印刷）したものであってもよく、これらのタグ（８）によって、ドラム缶内容物の品質保証を果たすこともできる。
【００８３】
本発明のキャップシールを用いたドラム缶の二重密閉装置は、ドラム缶の内部シール部を有する口金部（３０）に嵌め被せられかつ弾性素材よりなるキャップシール本体（１）の円形頂壁（２）の周縁部に連なる環状段部（３）の内周面が、外方下向きに傾斜した上部係合用傾斜面部（１１）となされ、環状段部（３）の外周縁に連なる環状垂下壁（４）の内側に、内方に突出した厚肉部（５）が設けられて、厚肉部（５）の上半部の内周面が、内方下向きに傾斜した下部係合用傾斜面部（１２）となされていて、環状段部（３）内側の外方下向きの上部係合用傾斜面部（１１）と厚肉部（５）の上半部内側の内方下向きの下部係合用傾斜面部（１２）とによって横断面略横Ｖ形の外部シール用挟圧部（１０）が形成され、厚肉部（５）の下半部の内周面が、外方下向きに傾斜した嵌被せ用案内傾斜面部（１３）となされ、キャップシール本体（１）がドラム缶の口金部（３０）に押し被せられることにより、キャップシール本体（１）の横断面略横Ｖ形の外部シール用挟圧部（１０）の内側に固定口金（３１）の上端折返し環状外方凸部（３１ａ）が、外部シール用挟圧部（１０）の断面略横Ｖ形を押し開くように強制的に嵌め入れられ、これによって固定口金（３１）の上端折返し環状外方凸部（３１ａ）が、外部シール用挟圧部（１０）の外方下向きの上部係合用傾斜面部（１１）と内方下向きの下部係合用傾斜面部（１２）とに、弾性素材の復元力により２つの接点（Ｐ）（Ｑ）において挟圧されて、外部シールが果たされており、キャップシールの開封の際には、キャップシール本体（１）が、これの円形頂壁（２）に設けられた破断用凹溝（６）に沿って破断されることにより、開封されるようになされているものである。
【００８４】
このような本発明のキャップシールを用いたドラム缶の二重密閉装置によれば、ドラム缶の口金部の巻上がり外径の差、圧入フランジ装着装置のカール部の巻き外径の寸法差、あるいはまた天板の立ち上がり筒部（圧入フランジの取付部）の板厚の差や、圧入フランジの折返し先端部（カール部）の板厚の差等の各種の誤差にもかゝわらず、ドラム缶の内外二重密閉を充分に果たすことができる。
【００８５】
このため、本発明のドラム缶の二重密閉装置によれば、外気（湿度、湿気）とドラム缶の内容物とを確実に遮断することができて、内容物の品質が損なわれることがない。
【００８６】
また、ドラム缶の口金部の開封の際には、キャップシール本体が、これの円形頂壁に設けられた破断用凹溝に沿って破断されることにより、開封されるようになされているから、キャップシールの開封を非常に簡単にかつ確実に行なうことができて、取扱いが非常に簡単であり、確実な封印機能を果たし得るものである。
【００８７】
図８と図９は、本発明のキャップシールを、ドラム缶の小径口金部に適用した実施形態を示している。
【００８８】
図８は、ドラム缶の小径口金部に嵌め被せられる本発明のキャップシールの弾性素材よりなるキャップシール本体（１）の第１実施形態を示し、図９は、同キャップシール本体（１）の第２実施形態を示している。
【００８９】
まず、図８に示すドラム缶の小径口金部に嵌め被せられる本発明のキャップシールのキャップシール本体（２１）の第１実施形態では、キャップシール本体（２１）の円形頂壁（２２）の内面に、下方に開口した横断面略角溝形の破断用凹溝（２６）が設けられており、この破断用凹溝（２６）は、平面よりみて欠円形の破断用凹溝主部（２６ａ）と、該破断用凹溝主部（２６ａ）の両端より左方および後方に伸びる破断用凹溝副部（２６ｂ）（２６ｂ）と、これらに対向して反対側にかつ破断用凹溝主部（２６ａ）の円弧部分に連なって右方および前向に伸びる２本の破断用凹溝補助部（２６ｃ）（２６ｃ）とを具備している。
【００９０】
図９に示すドラム缶の小径口金部に嵌め被せられる本発明のキャップシールのキャップシール本体（２１）の第２実施形態では、円形頂壁（２２）の内面に設けられた破断用凹溝（２６）は、平面よりみて円形の破断用凹溝主部（２６ａ）と、該破断用凹溝主部（２６ａ）に対して放射状に伸びる２本の破断用凹溝延長部（２６ｂ）（２６ｂ）および２本の破断用凹溝副部（２６ｃ）（２６ｃ）とを具備している。
【００９１】
なお、図示は省略したが、図８と図９に示すドラム缶の小径口金部に嵌め被せられる本発明のキャップシールのその他の点は、上記ドラム缶の大径口金部（３０）に嵌め被せられるキャップシールの場合と同様である。
【００９２】
また、本発明のキャップシール、およびこれを用いた二重密閉装置は、ドラム缶の他に、ガロン缶等の同種の容器にも同様に適用可能である。
【符号の説明】
【００９３】
１：ドラム缶の大径口金部用キャップシール本体
２：円形頂壁
３：環状段部
４：環状垂下壁
５：厚肉部
６：破断用凹溝
６ａ：平面よりみて欠円形の破断用凹溝主部
６ｂ：破断用凹溝副部
６ｃ：破断用凹溝補助部
７：タグ取付け用凸部
８：ＲＦＩＤタグ
１０：横断面略横Ｖ形の外部シール用挟圧部
１１：上部係合用傾斜面部
１２：下部係合用傾斜面部
θ：横断面略横Ｖ形の外部シール用挟圧部の角度
Ｐ：接点
Ｑ：接点
２１：ドラム缶の小径口金部用キャップシール本体
２２：円形頂壁
２３：環状段部
２６：破断用凹溝
２６ａ：平面よりみて欠円形の破断用凹溝主部
２６ｂ：破断用凹溝副部
２６ｃ：破断用凹溝補助部
３０：ドラム缶の口金部
３１：圧入フランジ（固定口金）
３１ａ：上端折返し環状外方凸部
３４：フランジ用ガスケット
４１：プラグ
４４：プラグ用ガスケット
５１：天板
５２：立上がり筒部
５２ａ：筒部上端部
【図１】
2010195464.tif 000003
【図２】
2010195464.tif 000004
【図３】
2010195464.tif 000005
【図４】
2010195464.tif 000006
【図５】
2010195464.tif 000007
【図６】
2010195464.tif 000008
【図７】
2010195464.tif 000009
【図８】
2010195464.tif 000010
【図９】
2010195464.tif 000011